(57)【特許請求の範囲】
【請求項１】
底辺と両側縁が閉じられて一辺が開口した袋部分と、
前記袋部分の開口側の一辺に連なる原蓋部分が、前記開口を塞がない方向に折り返されて、その両側縁が前記袋部分の両側縁に接着された蓋部分と、
テープ状の紐であって、その長手方向の中間位置からズレた位置で長辺側と短辺側に二つ折りされたテープ状紐とからなり、
該テープ状紐が前記袋部分と前記蓋部分との間に二つ折りされた状態で収容され、かつ前記長辺側の一端が前記袋部分の一側縁に接着されている
ことを特徴とする茶パック製品。
【請求項２】
連続して供給される茶パック用シートと連続して供給される紐用テープを加工して、袋部分および蓋部分を有する茶パックにテープ状紐が取り付けられた茶パック製品を製造する製造装置であって、
前記紐用テープを順次カットして、テープ状紐を順次送り出す紐用テープカット部と、
該紐用テープカット部から送られるテープ状紐を、その長手方向の中間位置とズレた位置で長辺側と短辺側に二つ折りに折り畳む紐折り部と、
前記茶パック用シートを、二つ折りに折り畳んで、茶パックの袋部分となる原袋部分を連続して形成する袋部分形成部と、
該袋部分形成部で形成された茶パック用シートにおける前記原袋部分の側縁となる位置に、前記二つ折りされたテープ状紐の長辺側の一端を貼付していく貼付部と、
前記テープ状紐が貼付された茶パック用シートを、さらに折り返して、前記テープ状紐の上面に茶パックの蓋部分となる原蓋部分を連続して形成する蓋部分形成部と、
前記袋部分形成部および前記蓋部分形成部を、送り方向に間隔をあけた位置で、テープ状紐の一端部とともに順次シールするシール部と、
該シール部でシールされた茶パック用シートを、シール部分で順次カットする個別カット部とからなり、
前記紐用テープカット部が、紐用テープに送りをかけるフィードロールと紐用テープを所定長さでカットする刃を有するカッターロールとからなり、
前記紐折り部が、前記フィードロールに備えられており、カットされた紐用テープの中間位置よりズレた位置を外方に突き出す突起と前記突起で突き出されたテープ状紐の二つ折り部を掴むチャッカーを備えた紐折りロールとからなり、
前記貼付部が、ヒータを有するヒータロールを備えており、該ヒータが、前記紐折りロールに対して、前記紐折りロールで掴まれている二つ折りされたテープ状紐の長辺側の一端を前記原袋部分の側縁となる位置に接着させる位置に配置されている
ことを特徴とする茶パック製品製造装置。
【発明の詳細な説明】
【０００１】
【発明の属する技術分野】
本発明は、茶パック製品製造装置および茶パック製品に関する。
【０００２】
【従来の技術】
茶パックは、茶葉を収容するための袋部に、この袋部の開口を閉じるための蓋部が形成されたものである。使用時には茶パックの袋部の中に茶葉を入れて、蓋部をひっくり返して袋部の開口を閉じる。そして、この茶パックを急須ややかん、ポット等に入れてお湯を注げば茶葉が茶パックより外に出ないので、お茶に茶葉が混じるのを防止でき、おいしいお茶を入れることができる。
しかし、使用済の茶パックは水を含んでおり、急須等の中から取り出して捨てるときに、手で掴むと手が汚れるし、箸で取るには手間がかかる。
【０００３】
そこで、従来より茶パック製品には、茶パックに、この茶パックを吊るすための紐や糸が付けられたものがあり、かかるタイプの茶パック製品には、以下の従来例１〜従来例３のものがある。
（１）従来例１
図１０に示すように、従来例１の茶パック製品は、茶パックの袋部分と蓋部分との間に紐102 が挟み込まれており、この紐の両端部が茶パックの袋部分および蓋部分の左右両端縁に、紐102 の両端がそれぞれ取り付けられたものである。この紐102 の長さは、茶パックの幅の長さとほぼ同じである。
この紐102 の片端を手で切って、この端を掴めば茶パックを吊るすことができる。このため、茶葉を収容した茶パックを急須等の中に入れ、紐102 を急須等の外に出しておき、お茶を入れ終わったら紐を掴んで、使用済みの茶パックを外に出すことができる。
（２）従来例２
図１１に示すように、従来例２の茶パック製品は、茶パックの袋部分と蓋部分との間に糸202 がＷ字状に撓んだ状態で挟まれており、この糸202 の両端部が茶パックの袋部分および蓋部分の左右両端縁にそれぞれ取り付けられたものである。糸202 はＷ字状に撓んでいるので、糸202 の長さを茶パックの幅の長さよりも長くすることができる。
この糸202 の片端を手で切って、この端を掴めば茶パックを吊るすことができる。このため、茶葉を収容した茶パックを急須等の中に入れ、糸202 を急須等の外に出しておき、お茶を入れ終わったら糸202 を掴んで、使用済みの茶パックを外に出すことができる。
（３）従来例３
図１２に示すように、従来例３の茶パック製品は、茶パックの袋部分および蓋部分の間であって、その片側端縁に糸302 の一端が取り付けられ、糸302 の他端にはつまみ紙片309 が取り付けられたものである。糸302 は一端しか茶パックに取り付けられていないので、長い糸を使用することができる。
つまみ紙片が取り付けられているので、糸302 の他端を掴みやすく、つまみ紙片309 を掴めば茶パックを吊るすことができる。このため、茶葉を収容した茶パックを急須等の中に入れ、糸302 を急須等の外に出しておき、お茶をいれ終わったらつまみ紙片309 を掴んで、使用済みの茶パックを外に出すことができる。
【０００４】
【発明が解決しようとする課題】
しかるに、従来例１の茶パック製品は、紐の長さが短いので、茶葉を収容した茶パックを急須ややかん、ポット等の中に入れ、紐を急須等の外に出していても、茶パックに水が吸収されて重くなり、紐が急須等の中に引きずられて入ってしまうことがある。このため、紐が役目を果たさず、結局、急須等の中から取り出して捨てるのに、手が汚れたり手間がかかり不便であるという問題がある。
他方、従来例２，３の茶パック製品は、茶パックに糸やつまみ紙片を取り付けるには手間がかかり、製造コストが高くなる。また、糸が茶パックの袋部分と蓋部分の間に完全に収容されていないので、茶パック製品の包装時や搬送時に、糸同士が絡んだり切れたりして、製品ロスが多くなる。
【０００５】
本発明はかかる事情に鑑み、お茶を入れ終わった後に、使用済みの茶パックを急須等の中から手を汚さず簡単に取り出すことができ、製造コストが安く、製品ロスが少なく、効率よく大量生産することができる茶パック製品製造装置および茶パック製品を提供することを目的とする。
【０００６】
【課題を解決するための手段】
請求項１の茶パック製品は、底辺と両側縁が閉じられて一辺が開口した袋部分と、前記袋部分の開口側の一辺に連なる原蓋部分が、前記開口を塞がない方向に折り返されて、その両側縁が前記袋部分の両側縁に接着された蓋部分と、テープ状の紐であって、その長手方向の中間位置からズレた位置で長辺側と短辺側に二つ折りされたテープ状紐とからなり、該テープ状紐が前記袋部分と前記蓋部分との間に二つ折りされた状態で収容され、かつ前記長辺側の一端が前記袋部分の一側縁に接着されていることを特徴とする。
請求項２の茶パック製品製造装置は、連続して供給される茶パック用シートと連続して供給される紐用テープを加工して、袋部分および蓋部分を有する茶パックにテープ状紐が取り付けられた茶パック製品を製造する製造装置であって、前記紐用テープを順次カットして、テープ状紐を順次送り出す紐用テープカット部と、該紐用テープカット部から送られるテープ状紐を、その長手方向の中間位置とズレた位置で長辺側と短辺側に二つ折りに折り畳む紐折り部と、前記茶パック用シートを、二つ折りに折り畳んで、茶パックの袋部分となる原袋部分を連続して形成する袋部分形成部と、該袋部分形成部で形成された茶パック用シートにおける前記原袋部分の側縁となる位置に、前記二つ折りされたテープ状紐の長辺側の一端を貼付していく貼付部と、前記テープ状紐が貼付された茶パック用シートを、さらに折り返して、前記テープ状紐の上面に茶パックの蓋部分となる原蓋部分を連続して形成する蓋部分形成部と、前記袋部分形成部および前記蓋部分形成部を、送り方向に間隔をあけた位置で、テープ状紐の一端部とともに順次シールするシール部と、該シール部でシールされた茶パック用シートを、シール部分で順次カットする個別カット部とからなり、前記紐用テープカット部が、紐用テープに送りをかけるフィードロールと紐用テープを所定長さでカットする刃を有するカッターロールとからなり、前記紐折り部が、前記フィードロールに備えられており、カットされた紐用テープの中間位置よりズレた位置を外方に突き出す突起と前記突起で突き出されたテープ状紐の二つ折り部を掴むチャッカーを備えた紐折りロールとからなり、前記貼付部が、ヒータを有するヒータロールを備えており、該ヒータが、前記紐折りロールに対して、前記紐折りロールで掴まれている二つ折りされたテープ状紐の長辺側の一端を前記原袋部分の側縁となる位置に接着させる位置に配置されていることを特徴とする。
【０００７】
請求項１の発明によれば、茶パック製品の使用時において、二つに折り畳まれているテープ状紐を長く延ばした状態で使用することができる。よって、急須の外にテープ状紐を出していれば、急須の中の茶パックが湯を吸収して重くなりテープ状紐が急須の中に引きずられたとしても、テープ状紐が長いのでテープ状紐全部が急須の中に入るのを防止することができ、便利である。しかも、茶パックの袋部分と蓋部分との間にテープ状紐が収容されているので、テープ状紐が切れたり破損することを防止でき、製品ロスを少なくすることができる。
請求項２の発明によれば、紐用テープカット部によって紐用テープが順次カットされ、紐折り部によってテープ状紐が長辺側と短辺側に二つ折りに折り畳まれる。他方、袋部分形成部によって茶パック用シートに、茶パックの袋部分となる原袋部分が形成され、貼付部によってこの原袋部分同士の間に前記二つ折りされたテープ状紐の長辺側の一端部が貼り付けられる。そして、蓋部分形成部によって、原袋部分上のテープ状紐を覆うように原蓋部分が被せられる。ついでシール部によって、原袋部分同士の間がシールされ、さらに個別カット部によってこのシール部分が個別カットされる。この結果、茶パックの袋部分と蓋部分との間に、二つ折りされた紐が挟み込まれ、このテープ状紐の一端が前記袋部分および蓋部分における片側端縁に取り付けられた茶パック製品を連続して製造することができる。
【０００８】
【発明の実施の形態】
つぎに、本発明の実施形態を図面に基づき説明する。
図１は本実施形態の茶パック製品製造装置の概略側面図である。同図に示すように、本実施形態の茶パック製品製造装置は、連続して供給される茶パック用シート１Ｓ、並びに、連続して供給される紐用テープ２Ｓを加工して、図２に示す茶パック製品３を連続して製造する装置である。
茶パック用シート１Ｓは、不織布やメッシュフィルム等を素材とするシートであり、原反ロール１Ｒから連続して繰り出されるようになっている。
紐用テープ２Ｓは、不織布やポリエチレンフィルム等を素材とするテープであり、原反ロール２Ｒから連続して繰り出されるようになっている。
【０００９】
まず、茶パック製品３を説明する。
図２は茶パック製品３の概略斜視図である。図３（Ａ）は茶パック製品３の分解斜視図である。図２〜図３（Ａ）に示すように、茶パック製品３は、茶パック１に、二つ折りされたテープ状紐２の一端が取り付けられたものである。茶パック１およびテープ状紐２は、前記茶パック用シート１Ｓおよび紐用テープ２Ｓの一部分がそれぞれ切り離されたものである。符号６，７はそれぞれシール部分および開口である。
【００１０】
茶パック１は、細長い紙片が袋状に折り畳まれた袋部分４と、この袋部分４の上面に重ね合わされた蓋部分５とから構成されたものである。袋部分４と蓋部分５との間とはテープ状紐２が収容されている。このテープ状紐２は、中間部分より少しズレた場所で、２つに折り畳まれており、長い方の一端は袋部分４および蓋部分５の片側端縁部に挟まれて熱シールにより貼付部８で取り付けられている。
前記蓋部分５の底部は、図３（Ａ）のように断面視でＷ字状にダブルで折り畳まれていても、図３（Ｂ）のようにシングル折りでストレート折りされていてよい。
また、前記テープ状紐２の二つ折りされた先部分は、図３（Ａ）のように、内側に折り返されていても、図３（Ｂ）のように外側に折り返されてもよい。
【００１１】
図４は茶パック製品３の使用説明図である。同図に示すように、茶葉ｍを茶パック１の袋部分４における開口７から内部に入れる。そして、蓋部分５を裏返して、この蓋部分５により袋部分４の開口７を閉じる。すると、袋部分４の表面には、２つに折り畳まれたテープ状紐２が現れる。２つ折りされているテープ状紐２の折畳み箇所を延ばすことにより、テープ状紐２を長く延ばした状態で使用することができる。
よって、急須ややかん、ポット等の外にテープ状紐２を出していれば、急須等の中の茶パック１が湯を吸収して重くなりテープ状紐２が急須の中に引きずられたとしても、テープ状紐２が長いので紐全部が急須等の中に入るのを防止することができ、便利である。
しかも、茶パック１の袋部分４と蓋部分５との間にテープ状紐２が収容されているので、包装時や搬送時にテープ状紐２が切れたり破損することを防止でき、製品ロスを少なくすることができる。
【００１２】
つぎに、この茶パック製品３を製造する製造装置について詳細に説明する。
再び図１に示すように、本実施形態の茶パック製品製造装置は、紐用テープカット部１０、紐折り部２０、袋部分形成部３０、貼付部４０、蓋部分形成部５０、シール部６０および個別カット部７０を備えている。
【００１３】
図５は本実施形態の茶パック製品製造装置の製造工程を示すフローチャートである。図１および図５に示すように、原反ロール２Ｒから繰り返された紐用テープ２Ｓは、紐用テープカット部１０によってカットされて、その先端からその一部分が順次テープ状紐２となり、このテープ状紐２は紐折り部２０によって二つ折りにされて折り畳まれ、貼付部４０に送られる。
他方、茶パック用シート１Ｓは袋部分形成部３０によって折り畳まれ、茶パック１の袋部分４となる原袋部分４Ｓが形成されて、貼付部４０に送られる。貼付部４０では、紐折り部２０によって二つ折りされたテープ状紐２の一端が前記原袋部分４Ｓに順次貼付される。テープ状紐２が貼付された茶パック用シート１Ｓは、蓋部分形成部５０によって、原蓋部分５Ｓが形成され、シール部６０および個別カット部７０に順次送られて加工され、この結果、茶パック製品３が連続して製造されるのである。
【００１４】
まず、紐用テープカット部１０を説明する。
図６は紐用テープカット部１０、紐折り部２０および貼付部４０の拡大側面断面図である。同図に示すように、紐用テープカット部１０は、カッターロール１１およびフィードロール１５から構成されたものである。カッターロール１１は、水平な回転軸廻りに回転自在に設けられたものであり、そのロール周面には、一対の刃１２，１２が等間隔に取り付けられている。刃１２の数は、図では２つであるが、１つでも３つ以上でもよく、任意である。
【００１５】
カッターロール１１の下方には、フィードロール１５が、水平な回転軸廻りに回転自在に設けられている。このフィードロール１５のロール周面には、一対の突起１６，１６が等間隔に取り付けられている。そして、フィードロール１５のロール周面において突起１６，１６間には、一対の刃１７，１７が設けられている。このフィードロール１５は前記カッターロール１１に同期して回転しており、カッターロール１１の刃１２とフィードロール１５の刃１７とが接触するように制御されている。このため、刃１２と刃１７の間に挟まれることによって紐用テープ２Ｓが切断されて、その一部がテープ状紐２となる。
そして、フィードロール１５のロール周面において突起１６と刃１７の間には、多数の吸引孔１８が設けられている。各吸引孔１８は、図示しないブロアー等の吸引装置によって、負圧となっており、紐用テープ２Ｓをフィードロール１５のロール周面に吸引して吸着することができる。
【００１６】
つぎに、紐折り部２０を説明する。
図７はフィードロール１５および紐折りロール２１の拡大側面断面図である。図６〜図７に示すように、紐折り部２０には、前記フィードロール１５の斜め前方下方に、紐折りロール２１が水平な回転軸廻りに回転自在に設けられている。紐折りロール２１のロール周面には、一対のチャッカー２２，２２が等間隔に取り付けられている。この紐折りロール２１は、そのチャッカー２２が前記フィードロール１５の突起１６と接触するように、同期して回転している。
チャッカー２２は揺動するようになっており、チャッカー２２とフィンガ２３との間が開閉して、テープ状紐２を掴むようになっている。そして、チャッカー２２が前記フィードロール１５の突起１６と接触するときに、チャッカー２２とフィンガ２３との間が閉まるようになっている。
このため、図７（II）のごとくチャッカー２２とフィンガ２３との間に、テープ状紐２の中間部分および突起１６が挟まり、回転するにつれ、図７（III ）のごとく突起１６のみがチャッカー２２とフィンガ２３との間から抜け出る。このため、チャッカー２２およびフィンガ２３によって、テープ状紐２は二つ折りにされ、二つ折りの状態のまま、紐折りロール２１の回転に応じて、後述する貼付部４０に送られるのである。
【００１７】
したがって、フィードロール１５のロール周面上に紐用テープ２Ｓが載せられた状態のまま、カッターロール１１で順次カットされテープ状紐２となり、このテープ状紐２は紐折りロール２１と対向する位置に順次送られ、この位置でこの紐折りロール２１のチャッカー２２によりフィードロール１５のロール周面上のテープ状紐２は、その中間部が二つ折りにされて掴み取られる。そして、紐折りロール２１の回転により、二つ折りされた状態のままテープ状紐２は貼付部４０に送られる。このため、効率よく、テープ状紐２を順次二つ折りに折り畳み、貼付部４０に送り出すことができる。
【００１８】
つぎに、袋部分形成部３０を説明する。
図８は（Ｉ）は袋部分形成部３０を通過する前の茶パック用シート１Ｓ、（II）は袋部分形成部３０を通過後の茶パック用シート１Ｓである。図１および図８に示すように、袋部分形成部３０は通常のセーラであり、袋部分形成部３０を通過する前の茶パック用シート１Ｓをその走行方向に沿って折り畳み、茶パック用シート１Ｓに原袋部分４Ｓを形成することができる。
原袋部分４Ｓの折り畳み形状は、種々の形状があり、最終的に茶パック１の袋部分４となる原袋部分４Ｓが形成できれば、種々の形状を採択しうる。
【００１９】
つぎに、貼付部４０を説明する。
再び図６に示すように、貼付部４０には、前記紐折りロール２１の下方にヒータロール４１が設けられている。そして、紐折りロール２１とヒータロール４１との間に、茶パック用シート１Ｓが走行している。ヒータロール４１は、水平な回転軸廻りに回転自在に設けられている。ヒータロール４１のロール周面には、一対のヒータ４２，４２が等間隔に取り付けられている。このヒータロール４１は、そのヒータ４２が前記紐折りロール２１のチャッカー２２に接触するように同期して回転している。
このため、図９（III ）に示すように、茶パック用シート１Ｓとテープ状紐２の一端がシールされる。
【００２０】
貼付部４０によれば、ヒータロール４１を回転させて、二つ折りされたテープ状紐２を茶パック用シート１Ｓに貼付させることができるから制御が簡単であり、テープ状紐２を所定の位置に正確に貼付することができる。
【００２１】
つぎに、蓋部分形成部５０を説明する。
図１に示すように、蓋部分形成部５０は、通常のセーラやロールを組み合わせたものであり、図９（III ）の茶パック用シート１Ｓを、テープ状紐２がシールされた箇所より上部分で、折り返して折り畳むことができる。
この蓋部分形成部５０によれば、テープ状紐２が貼付された茶パック用シート１Ｓを、その走行方向に沿って折り返して、テープ状紐２の上面に、茶パック１の蓋部分５となる原蓋部分５Ｓを連続して形成することができる。
【００２２】
つぎに、シール部６０を説明する。
図１に示すように、シール部６０は一対のシールロールを備えており、前記茶パック用シート１Ｓが一対のシールロール間を通されると、茶パック用シート１Ｓを等間隔にシールすることができる。
このシール部６０によれば、茶パック用シート１Ｓを、原袋部分４Ｓ，４Ｓ同士の間でテープ状紐２の一端部とともに順次シールすることができる。
【００２３】
つぎに、個別カット部７０を説明する。
個別カット部７０は、一対のカッターロールを備えており、前記茶パック用シート１Ｓが一対のシールロール間を通されると、図９（IV）に示すように茶パック用シート１Ｓのシール部分がカットされ、茶パック用シート１Ｓの先端部分がカットされて順次茶パック製品３を製造することができる。
なお、前記シール部６０および個別カット部７０の組合せの替わりに、シール部６０および個別カット部７０が合体してユニット化された装置を使用してもよい。
【００２４】
つぎに、本実施形態の茶パック製品製造装置の作用・効果を説明する。
本実施形態の茶パック製品製造装置によれば、以下の（１）〜（３）の効果を奏する。
（１）紐用テープカット部１０によって紐用テープ２Ｓは順次カットされ、テープ状紐２が紐折り部２０に順次送り出され、紐折り部２０によってテープ状紐２が二つ折りに折り畳まれる。他方、袋部分形成部３０によって茶パック用シート１Ｓに、茶パックの袋部分となる原袋部分４Ｓが形成され、貼付部４０によってこの原袋部分４Ｓ、４Ｓ同士の間に前記二つ折りされたテープ状紐２の一端部が貼り付けられる。そして、蓋部分形成部５０によって、茶パック用シート１Ｓの一部が折り返されて、原袋部分４Ｓ上のテープ状紐２の上面に、茶パックの蓋部分となる原蓋部分５Ｓが形成される。シール部６０によって、この茶パック用シート１Ｓにおける原袋部分４Ｓ、４Ｓ同士の間がシールされ、個別カット部７０によってこのシール部分が個別カットされる。この結果、茶パック１に長いテープ状紐２が付けられた茶パック製品３を連続して製造することができる。
【００２５】
（２）フィードロール１５のロール周面上に紐用テープ２Ｓが載せられた状態のまま、紐用テープカットロール１１で順次カットされ紐となり、このテープ状紐２は紐折りロール２１と対向する位置に順次送られる。フィードロール１５のロール周面上のテープ状紐２は、紐折りロール２１のチャッカーによりテープ状紐２の中間部が二つ折りされて掴み取られる。そして、フィードロール１５の回転に応じて、テープ状紐２は二つ折りされた状態のまま貼付部４０に送られる。このため、効率よく、テープ状紐２を順次二つ折りに折り畳み、貼付部４０に送り出すことができる。
【００２６】
（３）ヒータロール４１を回転させて、二つ折りされたテープ状紐２を茶パック用シート１Ｓに貼付させることができるから制御が簡単であり、テープ状紐２を所定の位置に正確に貼付することができる。
【００２７】
上記のごとく、本実施形態の茶パック製品製造装置によれば、お茶を入れ終わった後に、使用済みの茶パックを急須等の中から手を汚さず簡単に取り出すことができ、製造コストが安く、製品ロスが少ない茶パック製品３を効率よく大量生産することができるという効果を奏する。
【００２８】
【発明の効果】
請求項１の発明によれば、茶パック製品の使用時において、二つに折り畳まれている紐を長く延ばした状態で使用することができる。よって、急須の外に紐を出していれば、急須の中の茶パックが湯を吸収して重くなり紐が急須の中に引きずられたとしても、紐が長いので紐全部が急須の中に入るのを防止することができ、便利である。しかも、茶パックの袋部分と蓋部分との間に紐が収容されているので、紐が切れたり破損することを防止でき、製品ロスを少なくすることができる。
請求項２の発明によれば、茶パックの袋部分と蓋部分との間に、二つ折りされた紐が挟み込まれ、この紐の一端が前記袋部分および蓋部分における片側端縁に取り付けられた茶パック製品を連続して製造することができる。
【図面の簡単な説明】
【図１】本実施形態の茶パック製品製造装置の概略側面図である。
【図２】茶パック製品３の概略斜視図である。
【図３】茶パック製品３の分解斜視図である。
【図４】茶パック製品３の使用説明図である。
【図５】本実施形態の茶パック製品製造装置の製造工程を示すフローチャートである。
【図６】紐用テープカット部１０、紐折り部２０および貼付部４０の拡大側面断面図である。
【図７】フィードロール１５および紐折りロール２１の拡大側面断面図である。
【図８】（Ｉ）は袋部分形成部３０を通過する前の茶パック用シート１Ｓ、（II）は袋部分形成部３０を通過後の茶パック用シート１Ｓである。
【図９】（III）はテープ状紐２が貼付された後の茶パック用シート１Ｓの斜視図、（IV）はカットされた後の茶パック用シート１Ｓおよび茶パック製品３の斜視図である。
【図１０】従来例１の使用説明図である。
【図１１】従来例２の使用説明図である。
【図１２】従来例３の使用説明図である。
【符号の説明】
１      茶パック
１Ｓ    茶パック用シート
２      テープ状紐
２Ｓ    紐用テープ
３      茶パック製品
４      袋部分
４Ｓ    原袋部分
５      蓋部分
５Ｓ    原蓋部分
１０    紐用テープカット部
２０    紐折り部
３０    袋部分形成部
４０    貼付部
５０    蓋部分形成部
６０    シール部
７０    個別カット部
ｍ    茶葉
【図１】
0003966752.tif 000002
【図２】
0003966752.tif 000003
【図３】
0003966752.tif 000004
【図４】
0003966752.tif 000005
【図５】
0003966752.tif 000006
【図６】
0003966752.tif 000007
【図７】
0003966752.tif 000008
【図８】
0003966752.tif 000009
【図９】
0003966752.tif 000010
【図１０】
0003966752.tif 000011
【図１１】
0003966752.tif 000012
【図１２】
0003966752.tif 000013